(57)【特許請求の範囲】
【請求項１】
警備システムの操作端末にアクセスを行った操作者の画像を記録するための、
記録される画像における人の顔の検出を撮像カメラからどれだけ離れた位置まで顔認識及び顔識別のいずれによって行うのかという画像記録の目的に応じて、顔を認識若しくは識別するための顔検出エリア内の最少ピクセル数Ｎと被写体までの距離Ｌとを設定し、設定された顔検出エリア内の最少ピクセル数Ｎと被写体までの距離Ｌとに基づき、前記目的に応じた画像記録のための画像処理規格を設定する初期設定処理工程と、
前記操作者を前記初期設定処理工程において設定された画像処理規格により撮影した画像を取得し、取得した画像における前記最少ピクセル数Ｎを満たす顔検出エリアの数をカウントし、少なくとも一つの顔検出エリアがカウントされたときには取得した画像を有効な画像として記録すると共に操作許可出力信号を警備システムに対して出力し、複数の顔検出エリアがカウントされたときにはさらに複数検知出力信号を警備システムに対して出力する運用処理工程と
を実行する画像記録システムを用いた、操作端末を備えた警備システムであって、
前記画像記録システムからの、少なくとも一つの顔検出エリアがカウントされたときに出力される前記操作許可出力信号と、カウントされた顔検出エリアの数が複数であるときにさらに出力される前記複数検知出力信号と、を受信する信号受信工程と、
前記信号受信工程において受信した信号を、前記画像記録システムが記録する画像においてカウントされる顔検出エリアの数が一つの場合のみ操作端末の操作を許可するのか若しくは複数の場合でも操作端末の操作を許可するのかという運用目的と照合し、前記受信した信号が前記運用目的に一致している場合にのみ前記操作者による操作端末の操作を許可する操作許可工程と
を実行することを特徴とする警備システム。
【発明の詳細な説明】
【技術分野】
【０００１】
本発明は、警備システムの操作端末において、ＣＣＤカメラなどの撮像デバイスを用いて操作者の顔を録画し、当該録画データに基づいて警備システムに対し各種の信号を出力する画像記録システムに関するものである。なお、本明細書にいう警備システムとは、施設における警備の開始／解除や、電気錠の解錠／施錠などの具体的な操作処理から、施設における入退室管理などの広汎な監視・警備処理までも含むものをいう。
【背景技術】
【０００２】
昨今における電子デバイスの高性能化や小型化或は低コスト化に伴い、警備用の操作端末においてもＣＣＤカメラ等の撮像デバイスを用いて、端末操作者の顔を撮影し記録する警備システムが普及している。通常このような警備システムでは、例えば警備の開始／解除や、電気錠の施錠／解錠などの操作が為された際に、操作者の顔を撮影してこれを記録する画像記録システムが採用されている。これによって、何時如何なるときに誰によって如何なる操作が為されたかが明確に記録され、警備システム全体のセキュリティ機能が格段に飛躍・向上することになる。
【０００３】
一般に、このような画像記録システムにおいては、カメラで撮影した画像データから人の顔を見つけ出すための処理工程は顔検知処理と定義されている。また、人の顔を検知した画像データから各種の顔情報を取得して、例えば、男女の識別や顔の基本的な特徴などを判断する処理工程は顔認識処理と定義されている。さらに、顔認識処理後に種々の画像情報から、個人の特定・識別を行う処理工程は顔識別処理と定義されている。
【０００４】
顔検知処理では、画像データから画面に映っているものが人間か、動物か、或いは物体であるかを判定することはできるが、この場合の画像の顔検出エリア内に必要な最小ピクセル数では、男女の区別や人物の特徴などを判定することはできない。一方、顔認識処理に必要とされるピクセル数では、画像データから男女の区別や人物の大まかな特徴を判定することは可能であるが、撮影された人物を個人レベルで特定・識別することはできない。そして、顔識別処理に必要とされるピクセル数に到って初めて個人レベルの顔の識別が可能となる。
【０００５】
すなわち、「顔検知処理」＜「顔認識処理」＜「顔識別処理」の順で、画像の顔検出エリア内に必要とされる最小のピクセル数が増加し、同様に、係る順に応じて画像処理に必要なハードウェアのスペックが高機能となっている。一般に、人の顔幅を１６ｃｍであると仮定すると、顔検知処理に必要とされるピクセル数は３．２（ピクセル／顔幅）、顔認識処理に必要とされるピクセル数は１６（ピクセル／顔幅）、顔識別処理に必要とされるピクセル数は８０（ピクセル／顔幅）と言われている。
【０００６】
因みに、上記の各処理におけるピクセル数Ｎを１メートル当たりのピクセル数（ピクセル／ｍ）として定義すると、それぞれ
顔検知処理：Ｎ＝２０（ピクセル／ｍ）
顔認識処理：Ｎ＝１００（ピクセル／ｍ）
顔識別処理：Ｎ＝５００（ピクセル／ｍ）
となる。
【０００７】
ところで、現行の警備システムに採用されている画像記録システムにおいては、顔検知、顔認識、及び顔識別の各処理を行うファームウェアと、使用されるカメラの解像度が個々別々に設定されているので、撮影された画面内でカメラの遠方にいる人も、カメラの近くにいる人も同等に処理されてしまうことになる。
【０００８】
それ故、操作端末或いはその近傍に設置されたカメラが、操作者の顔を検知して、操作者が一人であると判断した場合にのみ、警備システムにおいて入／退出操作や、警備の開始／解除操作を指令する仕組みを構築しても、カメラの遠方にいる操作者とは無関係の通行人まで検知の対象とされてしまうおそれがある。このような場合、複数の人間が操作端末の前にいると判断され操作が禁止されてしまう不具合や、操作者とは関係の無い人が操作者と誤って認識され、操作端末における操作が許可されてしまうような不具合が生ずるおそれがある。
【０００９】
例えば、顔検知処理の機能を有するカメラにおいて、画像処理規格ＶＧＡ（ピクセル数６４０×４８０）に解像度を設定した場合、前述した顔検知処理が可能となる３．２（ピクセル／顔幅）のピクセル数が担保される被写体までの距離は、添付図表の図１の例では約１０ｍとなる。すなわち、カメラから１０ｍの距離範囲内で人の顔の検知が可能となる。
【００１０】
一方、画像処理規格１０８０Ｐ（ピクセル数１９２０×１０８０）に解像度が設定されている場合は、前述した顔検知処理が可能となる３．２（ピクセル／顔幅）のピクセル数が担保される被写体までの距離は、同じく図１の例では約４０ｍとなってしまう。そのため、１０８０Ｐ規格に解像度が設定されたカメラでは、例えば図２ａに示すように、遠方の通行人まで含めて操作端末の前に複数の人物がいるものと認識され、いわゆる共連れ（操作者が一人であると判断された場合にのみ操作を許可する警備システムにおいて、操作者に他者が随伴して入場してしまう場合）と判断されて操作が許可されないおそれがある。
【００１１】
すなわち、図２ａに示す画面では操作者Ａ、並びに通行人Ｂ、Ｃは何れもカメラから４０ｍ以内にいるので、その何れの顔検出エリア内のピクセル数が、顔検知に必要とされる３．２（ピクセル／顔幅）を超えているため、Ａ、Ｂ、Ｃの何れにも顔検知処理が為され、操作端末の前には３人の人物が居るものと判断されてしまう。
【００１２】
また、カメラの解像度が同じく１０８０Ｐに設定されている場合において、図２ｂに示す画面では、操作者Ａがカメラのアングルから外れて操作端末を操作したため、顔検知処理の対象とはされない。一方、カメラから４０ｍ以内を歩いていた通行人Ｂは、その顔検出エリア内のピクセル数が顔検知に必要とされる３．２（ピクセル／顔幅）を超えているため、操作者として検知されてしまう場合を示している。すなわち、この場合においては、実際の操作者とは無関係の通行人が、端末を操作した操作者として画像データに記録されてしまうことになる。
【００１３】
このように、従来の単純に人の顔を検知・認識等するソフトウェアだけで操作者の画像を記録するシステムを構築しても、必要な操作許可が得られない、或いは操作端末から離れた場所にいる無関係な第三者が操作者として記録されてしまう、という不具合が生ずるおそれがあった。
【００１４】
このような不具合を解消すべく、例えば、特許文献１や特許文献２に示されるような先行技術が開示されている。
【００１５】
【特許文献１】特開２００４−１７１１８９号公報
【特許文献２】特開２０１５−００１７９０号公報
【発明の開示】
【発明が解決しようとする課題】
【００１６】
しかしながら、特許文献１に示された発明は、移動カメラで撮影した画像において、複数の操作者が隣接した場合でも、各操作者を個別に検出することを主眼とした技術であり、また、特許文献２に示された発明は、操作者がゲートやカメラの前で立ち止まらずとも操作者の認証を可能とすることを主目的とした技術であって、前述の不具合を抜本的に解決するものとは成り得なかった。
【００１７】
本発明は、従来技術におけるこのような不具合の解決を目的とするものであって、操作者の顔を、その認識・識別が有効にでき得る程度に記録し、かつ保存する画像データの容量を低く抑えることができる警備用の画像記録システムを提供することを目的とする。
【課題を解決するための手段】
【００１８】
本発明の画像記録システムは、
警備システムの操作端末にアクセスを行った操作者の画像を記録する画像記録システムであって、
記録される画像における人の顔の検出を撮像カメラからどれだけ離れた位置まで顔認識及び顔識別のいずれによって行うのかという画像記録の目的に応じて、顔を認識若しくは識別するための顔検出エリア内の最少ピクセル数Ｎと被写体までの距離Ｌとを設定し、設定された顔検出エリア内の最少ピクセル数Ｎと被写体までの距離Ｌとに基づき、上記目的に応じた画像記録のための画像処理規格を設定する初期設定処理工程と、
上記操作者を上記初期設定処理工程において設定された画像処理規格により撮影した画像を取得し、取得した画像における上記最少ピクセル数Ｎを満たす顔検出エリアの数をカウントし、少なくとも一つの顔検出エリアがカウントされたときには取得した画像を有効な画像として記録すると共に操作許可出力信号を警備システムに対して出力し、複数の顔検出エリアがカウントされたときにはさらに複数検知出力信号を警備システムに対して出力する運用処理工程と
を実行することを特徴とする。
【００１９】
また、本発明は、上記画像記録システムを用いた、操作端末を備えた警備システムであって、
上記画像記録システムからの、少なくとも一つの顔検出エリアがカウントされたときに出力される上記操作許可出力信号と、カウントされた顔検出エリアの数が複数であるときにさらに出力される上記複数検知出力信号と、を受信する信号受信工程と、
上記信号受信工程において受信した信号を、上記画像記録システムが記録する画像においてカウントされる顔検出エリアの数が一つの場合のみ操作端末の操作を許可するのか若しくは複数の場合でも操作端末の操作を許可するのかという運用目的と照合し、上記受信した信号が上記運用目的に一致している場合にのみ上記操作者による操作端末の操作を許可する操作許可工程と
を実行することを特徴とする警備システムに関する。
【００２０】
本発明によれば、例えば、警備システムにおけるカードリーダ等の操作端末の操作者が誰であるのかを、ソフトウェアの専用のアプリケーションプログラムで判断するのではなく、システム管理者が録画された画像を見て判断する。そのため、人の顔を検知するソフトウェアとして汎用のアプリケーションプログラムが使用可能であり、比較的低コストのハードウェア並びにファームウェアによって、警備システム用の画像記録システムを構築することができる。
【発明の効果】
【００２１】
したがって、このような構成による画像記録システムによれば、極めて簡単な処理工程によって、操作者の顔をその認識・識別が有効にでき得る程度に録画し、かつ、記録する画像データの容量を低く抑えた画像記録システムを実現することが可能となる。
【発明を実施するための最良の形態】
【００２２】
本発明を実施するための最良の形態である実施例について、それぞれの添付図面を参照しつつ以下に説明を行なう。
［Ａ］操作者の鮮明な顔写真を残すことを目的とする場合
カードリーダ等の操作端末を操作する操作者の鮮明な顔写真を残すことを目的とする場合は、顔検出エリア内のピクセル数Ｎを前述した顔の識別処理が可能となるピクセル数であるＮ＝８０（ピクセル／顔幅）に設定する。
【００２３】
続いて、カメラから被写体までの距離、及び使用するレンズの焦点距離を基に解像度（画像処理規格）を決定する。この場合、端末操作中の操作者の顔画像を記録することが目的であるため、被写体までの距離Ｌは約０．５ｍに設定すると、係るＮ及びＬの条件から、添付図表の図１の例では、この場合に適合するものは画像処理規格ＶＧＡの画像となる。
【００２４】
因みに、ＱＶＧＡの画像ではピクセル数を８０（ピクセル／顔幅）に設定できないためこの場合は使用することができない。一方、７２０Ｐの画像では、ピクセル数を８０（ピクセル／顔幅）とすると被写体までの距離が約１ｍになってしまうので、たまたま操作端末の近くを通った人物も操作者と判断されてしまうおそれがあるため、結局この場合は画像処理規格ＶＧＡの解像度が最も適正なものといえる。
【００２５】
本発明では、人の顔を検知した際に、顔検出エリア内にある人物の顔と検知された部分のピクセル数をカウントし、その数が８０以上であれば操作端末の操作を許可する信号と、複数の人物がいることを認識しているか否か通知する信号を警備システムに通知する。一方、操作端末側は、操作許可信号を受信した際に、操作者が一人なのか或は複数なのかを判断し、一人の場合にのみ操作を許可する。
【００２６】
［Ｂ］いわゆる共連れ防止を目的とする場合
共連れ防止を目的とする場合は、撮影対象が一人なのか或は複数人なのかを判定することが重要であり、撮影対象者の顔を個人レベルで識別する必要はない。このため、顔認識の際のピクセル数を１６（ピクセル／顔幅）に設定する。そして、カメラから被写体までの距離、並びに使用しているレンズの焦点距離を基に解像度を決定する。
【００２７】
例えば、画像処理規格ＶＧＡの画像では、ピクセル数Ｎを１６（ピクセル／顔幅）に設定すると、カメラのレンズから被写体までの距離Ｌは図１の例では約２．５ｍとなる。一方、画像処理規格ＱＶＧＡの画像を選択した場合は、同じく図１の例では上記の距離は約１ｍとなり、操作者が複数か否かを判断する上において若干距離が不足気味となる。
【００２８】
また、画像処理規格７２０Ｐの画像を選択した場合は、上記の距離は約５ｍとなってしまうため、操作者の後方にいる通行人までも含めて共連れと判断されてしまうおそがある。したがって、操作者が複数か否かの判定が重要となる、いわゆる共連れ防止の判断をする場合においてはＶＧＡの画像による解像度が適正なサイズとなる。
【００２９】
この場合、操作者の顔を検知した際に、顔検出エリア内にある人物の顔と検知された部分のピクセル数をカウントしてカウント値が１６ピクセル以上であれば、端末の操作を許可する許可信号と、操作者として複数の人物を認識したか否かの信号を警備システムに通知する。操作者が複数であるとの信号を受信した警備システムは、共連れを防止すべく端末の操作を禁止する信号を操作端末側に出力してその操作を禁止する。
【００３０】
上記の事例［Ａ］の場合では、顔検出エリア内のピクセル数を顔識別が可能な８０（ピクセル／顔幅）に設定されているため、記録された画像は人間の目によって被写体の個人の人相が識別可能なピクセル数を持った画像として保存されている。また、その解像度は、予め識別に必要な最小サイズに設定されていることから、記録された画像１枚の記録容量は最小で済むことになる。
【００３１】
つまり、本発明によれば、以下に述べるようなメリットが生ずる。
（１）個人を識別する処理ではなく、人を検知できる処理とそれに対応するピクセル数を使用するため、画像記録システムに高性能・高機能のハードウェアやソフトウェアを搭載する必要がない。
（２）顔検知・顔認識・顔識別に必要とされるピクセル数と、カメラから被写体までの距離を設定することによって画像全体の解像度（画像処理規格）を決定するため、記録される画像サイズが無駄に大きくならず用途に適した最小限のサイズとすることができる。
【００３２】
（３）検知された画像データは、個人の顔を識別できるピクセル数に設定することで、記録された画像データから、必ず個人を識別することが可能となる。
（４）顔検出エリア内のピクセル数と被写体までの距離を調整することにより、操作者のみの顔検知・顔認識・顔識別を対象とすることも、或いは同伴者や覗き見、共連れの人物の顔検知・顔認識・顔識別を対象とすることも可能となる。
【００３３】
例えば、図２ｃに示す例では、画像処理規格１０８０Ｐの解像度の画像を使用して顔識別を行った場合、画面内の人物Ａ、Ｂが共にカメラから約１．５ｍ以内にいれば、顔検出エリア内のピクセル数をカウントするとカウント値は８０（ピクセル／顔幅）以上となるため、顔の識別が可能な複数の人物が操作端末の前にいるものと判断され、所定の操作許可信号ならびに複数の人物を検知した旨の信号が操作端末に送信される。
【００３４】
一方、図２ｄに示す例は、画像処理規格ＶＧＡの解像度の画像に設定されている場合を示すものであり、画面内の人物Ａがカメラから約０．５ｍ以内にいれば、顔検出エリア内のピクセル数をカウントしたカウント値は８０（ピクセル／顔幅）以上となるため、顔の識別が可能な人物が操作端末の前にいるものと判断され、所定の操作許可信号が操作端末に送信される。
【００３５】
なお、同図において操作者の後方の人物Ｂはカメラから０．５ｍ以上離れた位置にいるので、顔検出エリア内のピクセル数をカウントしても、その値が８０（ピクセル／顔幅）に満たないため、カメラの前に複数の人物がいるとは看做されない。そして、記録されたＶＧＡの画像でも人物Ａに関しては、その顔が個人的に識別可能な８０（ピクセル／顔幅）以上の画質で保存されることになる。
【００３６】
次に、本発明による画像記録システム（以下、「本システム」という）の具体的な処理動作を図３に示すフローチャートに基づいて説明する。
【００３７】
［イ］システムの初期設定時
本システムの初期設定時における処理動作を図（３ａ）のフローチャートに示す。本システムの初期設定においては、先ず、人物の顔を画像として記録する際に必要とされる最小ピクセル数Ｎを設定する（ステップＳ１０１）。
【００３８】
因みに、Ｎの値を８０（ピクセル／顔幅）以上に設定すれば、記録された画像は人間の目によって個人を識別できるだけの情報量を持った画像となり、このＮの値を更に大きくとれば、個人の特徴を詳細に識別できる画像となる。続いて、ステップＳ１０２においてカメラから被写体までの距離Ｌを設定する。
【００３９】
一般に、上記の距離Ｌ（ｍ）は、画像の撮影範囲（画面の横幅）をＷ（ｍ）、カメラ搭載のイメージセンサのセンササイズをＳ（ｍｍ）、カメラレンズの焦点距離をｌ（ｍｍ）とすると、下式によって物理的に定められる。
Ｌ＝Ｗ×ｌ／Ｓ
【００４０】
例えば、Ｓ＝６．３５ｍｍ、ｌ＝２．８ｍｍ、Ｗ＝１．１ｍとすると、距離Ｌは約０．５ｍとなる。因みに、このＷ＝１．１ｍという撮影範囲は、画像処理規格ＶＧＡの解像度の画像において、撮影した人物の顔が個人レベルで識別可能な８０（ピクセル／顔幅）が確保できる撮影範囲長である。本ステップにおいては、算出された各種の被写体までの距離Ｌの中から、警備システムの目的とする機能に応じて適正な距離Ｌの値が選択される。
【００４１】
続くステップＳ１０３において、前述の各ステップで求められたピクセル数Ｎと距離Ｌ等を基にして、本システムに必要とされる所定の画像処理規格（例えば、ＶＧＡ、ＱＶＧＡ、７２０Ｐなど）が設定される。
【００４２】
［ロ］システムの運用時
次に、本システムの運用時における処理動作を図（３ｂ）のフローチャートに示す。本システムの運用時においては、先ず、ステップＳ２０１において人の顔が検知されたか否かが判定される。顔が検知されなかった場合はステップＳ２０２に移行し、既に他の顔検知の情報があるか否かが判定される。同ステップにおいて、他の顔検知の情報が無いと判定された場合はステップＳ２０３に移行し、操作許可出力信号ならびに複数検知出力信号を共にオフとして待機（ＷＡＩＴ）状態に戻り処理を終了させる。
【００４３】
ステップＳ２０２において、他の顔検知の情報があると判定された場合は、ステップＳ２０３の処理を実行せずに待機（ＷＡＩＴ）状態に戻り処理を終了させる。一方、最初のステップＳ２０１において人の顔が検知されたと判定された場合は、ステップＳ２０４に移行し、顔検出エリア内の人の顔と判定された部分のピクセル数ｎをカウントする。
【００４４】
そして、次のステップＳ２０５において、カウント値ｎと先に設定された最小ピクセル数Ｎが比較され、ｎ＜Ｎ、つまりカウント値ｎが人の顔検知・顔認識・顔識別を行うための最小ピクセル数Ｎに満たない場合は、人の顔検知・顔認識・顔識別ができないため前述のステップＳ２０２に移行する。一方、ｎ＞Ｎ、又はｎ＝Ｎの場合は、カウント値ｎが人の顔検知・顔認識・顔識別を行うための最小ピクセル数Ｎを満足しているので、ステップＳ２０６に移行して撮影した画像データを有効なものとして取り扱う。
【００４５】
すなわち、ステップＳ２０７において操作端末への操作許可出力信号をオンとし、続いてステップＳ２０８に移行して、今回の人の顔検知が一人目であるか或いは複数人目であるかを判定する。同ステップにおいて、一人目であると判定された場合は、更に複数人の顔検知の可能性もあるため、待機（ＷＡＩＴ）状態に戻り処理を終了させる。一方、複数人目であると判定された場合は、ステップＳ２０９に移行し、複数検知出力信号をオンにして待機（ＷＡＩＴ）状態に戻り処理を終了させる。
【００４６】
続いて、本システムの所要目的に応じた具体的な運用例を添付図表の図１の例を用いて以下に説明する。
［運用例１］操作端末を操作した人物を記録することを目的とした場合の運用例
この場合は、操作者が誰であるかを特定するため、画像データとしては個人識別が可能な情報量が必要となる。そのため、顔検出エリア内の最小ピクセル数ＮをＮ＝８０（ピクセル／顔幅）に設定する。
【００４７】
一方、操作者の顔を撮影することが主目的となるので、カメラと操作者の距離Ｌは０．５ｍ以内に設定することが望ましい。これらの条件から画像処理規格はＶＧＡの解像度を用いることが適正となる（添付図表の図１を参照）。すなわち、当該運用例においては、操作者はカメラから０．５ｍ以内に接近しその顔が検知されないと、操作端末への操作が許可されないことになる。
【００４８】
［運用例２］操作者の操作時に、その操作の覗き見を行った人物を特定することを目的とした場合の運用例
適正な操作者が操作端末を操作しているときに、その操作を後ろから覗き見している人物がいた場合にその人物を記録する運用である。この場合は覗き見を行っている人物を特定する必要があるため、顔検出エリア内の最小ピクセル数ＮをＮ＝８０（ピクセル／顔幅）に設定する。
【００４９】
また、カメラから約１．５ｍ以内でカメラの方を向いた人物を、覗き見を行っている不審者と想定し距離ＬをＬ＝１．５ｍに設定する。係るＮ及びＬの値から、画面の解像度は図１より画像処理規格１０８０Ｐに決定される。すなわち、この場合においては、適正な操作者以外にカメラから１．５ｍ以内に人がいた場合には、複数の人間がいるものと検知・判断され覗き見されている危険があるものと判定される。
【００５０】
なお、操作端末のカードリーダなどを、複数人検知の際（覗き見されているおそれがある）でも操作を許可する設定で運用する場合には、操作時の画面を上記のような仕様で記録することで、覗き見をしている不審者の顔の特徴が明確に識別できるため、警備システムとしてのセキュリティ機能が大幅に向上する。
【００５１】
［運用例３］覗き見を行っている人物がいる場合には、操作端末の操作を禁止することを目的とした運用例
覗き見をしている不審者が検知された際に操作端末の操作を禁止する運用では、不審者の顔を識別・特定する必要はない。そのため、顔検出エリア内の最小ピクセル数Ｎを、個人的な顔の識別はできないが、顔の認識が可能なＮ＝１６（ピクセル／顔幅）に設定する。この場合、カメラから約２．５ｍ以内に居てカメラの方を向いている人物は覗き見を行っているものと推定する。
【００５２】
これより、Ｎ＝１６（ピクセル／顔幅）、Ｌ＝２．５ｍの条件から、添付図表の図１において画像処理規格ＶＧＡの解像度が選択されることになる。すなわち、カメラから２．５ｍの範囲内に操作者以外に人がいた場合、複数人物の検知と判断され、覗き見をしている不審者がいる場合に操作を禁止するという警備システムの目的から、操作端末からの操作は禁止される。但し、この場合は不審者の画像を記録したとしても、顔検出エリア内の最小ピクセル数ＮがＮ＝１６（ピクセル／顔幅）となっているため、必ずしも記録された画像から不審者を特定・識別することはできない。
【００５３】
以上に説明したように、本発明によれば予め設定された画像サイズ（解像度）を基にしたピクセル数で判断を行うため、画像の中の顔検出エリアの大きさに依存しない。これによって、初期設定における選択により、操作端末から離れた位置にいる人物を、共連れや覗き見の対象者と看做し有効な情報として記録することも、或いは無関係な通行人と看做して不要な情報と判断することも可能となる。
【００５４】
なお、本発明は以上に説明した各実施形態に限定されるものではなく、例えば、本発明を構成する各部位の形状や配置、或いはその素材等は、本発明の趣旨を逸脱することなく、現実の実施対応に即して適宜変更ができるものであることは言うまでもない。
【産業上の利用可能性】
【００５５】
以上に説明した本発明の構成は、一般家庭や企業、或いは公共施設等における撮影機能を備えた各種のセキュリティシステムにおいてその利用が可能である。
【図面の簡単な説明】
【００５６】
【図１】本発明の画像記録システムにおける各パラメータの関係を示す説明図表である。
【図２】画像記録システムにおける画像の様子を示す説明図である。
【図３】本発明の画像記録システムにおける処理動作を示すフローチャートである。
【図１】
0006489657.tif 000002
【図２】
0006489657.tif 000003
【図３】
0006489657.tif 000004